(57)【要約】  一つのリモートコントローラでいずれの機器も利用できるように、インターネットを用いて、各機器に相当するリモートコントローラデータをリモートコントローラにダウンロードすることが可能なシステム及びその方法を提供する。サーバ部にリモートコントローラデータを備え、クライアントＰＣ及びリモコンコード伝送システムを介して必要なデータを選択した後、有／無線でリモートコントローラへ選択されたデータを伝送する機能を行う。
2005515674.tif 000002
【特許請求の範囲】
【請求項１】
リモートコントローラデータを含むサーバ部（１０）と、前記データを処理するクライアントＰＣ（３０）及びリモコンコード伝送システム（４０）と、前記機器（１０、３０、４０）を連結するインターネット網（２０）と、有／無線で連結されたリモートコントローラ（５０、５０’）とを含んでなる、インターネットを用いたリモートコントローラデータダウンロードシステムにおいて、
前記サーバ部（１０）は、
リモートコントローラを用いる機器に対するそれぞれのリモートコントローラデータを有し、各種の要請に対する応答及びデータ伝送を担当するデータベースサーバ（１１）と、
前記データベースサーバ（１１）に連結され、ユーザの認証情報を判断する認証システム（１２）と、
前記データベースサーバ（１１）に連結され、ユーザの課金情報をアップデートする課金精算システム（１３）とを備え、
前記クライアントＰＣ（３０）は、
インターネット網（２０）を経由して前記サーバ部（１０）にリモートコントローラデータ伝送を要請し、伝送するデータを受信する第１インタフェース部（３１）と、
受信したリモートコントローラデータを一時記憶する一時記憶空間（３２）と、
前記データが伝送される方法を判断するデータ分析部（３３）と、
前記データを有線で伝送するための第２インタフェース部（３４）とを備え、
無線によるリモートコントローラへのデータ伝送に用いられる前記リモコンコード伝送システム（４０）は、
前記第１インタフェース部（３１）を介して伝送されたデータを受信する第３インタフェース部（４１）と、
前記データを一時記憶する一時記憶空間（４２）と、
前記記憶されたデータを無線でリモートコントローラ（５０’）に伝送するための第４インタフェース部（４３）とを備え、
前記リモートコントローラ（５０、５０’）は、
前記クライアントＰＣ（３０）と有線で連結してデータの伝送を受けるための連結端子（５１）、又は前記リモコンコード伝送システム（４０）から無線でデータの伝送を受けるための送受信部（５４）と、
前記伝送されたデータを必要な方式に変換する制御部（５２）と、
前記制御部（５２）に伝送された変換データを記憶する記憶部（５３）とを備えることを特徴とする、インターネットを用いたリモートコントローラデータダウンロードシステム。
【請求項２】
前記クライアントＰＣ（３０）の第２インタフェース部（３４）と前記リモートコントローラ（５０）の端子（５１）とを連結する線がＵＳＢ(Universal Serial Bus)であることを特徴とする請求項１記載のインターネットを用いたリモートコントローラデータダウンロードシステム。
【請求項３】
前記リモートコントローラ（５０’）はリモートコントローラ機能を有する移動通信端末機であることを特徴とする請求項１記載のインターネットを用いたリモートコントローラデータダウンロードシステム。
【請求項４】
前記リモートコントローラ（５０’）は、前記サーバ部（１０）へリモートコントローラデータ伝送を要請し、伝送されるデータを受信する第１インタフェース部（３１）と、
受信したリモートコントローラデータを一時記憶する一時記憶空間（３２）とをさらに含むことを特徴とする請求項１又は３に記載のインターネットを用いたリモートコントローラデータダウンロードシステム。
【請求項５】
インターネットを用いたリモートコントローラデータダウンロード方法において、
ユーザの選択によりクライアントＰＣ（３０）が第１インタフェース部（３１）を介してダウンロードするリモートコントローラデータをサーバ部（１０）に要請する第１段階と、
前記サーバ部（１０）の認証手続きを経る第２段階と、
前記要請によって前記サーバ部（１０）から伝送されたデータを前記第１インタフェース部（３１）を介して受信する第３段階と、
前記受信したデータを一時記憶空間（３２）に一時記憶する第４段階と、
前記記憶されたデータをデータ分析部（３３）で分析し、有線で伝送するか無線で伝送するかを判断する第５段階と、
前記第５段階で有線と判断する場合、第２インタフェース部（３４）を介して線で連結されたリモートコントローラ（５０）の端子（５１）に前記データを伝送する第６段階と、
前記リモートコントローラ（５０）が、端子（５１）を介して伝送されるデータを受信する第７段階と、
前記受信したデータを制御部（５２）を介して必要な方式に変換する第８段階と、
前記変換されたデータを記憶部（５３）に記憶する第９段階とから構成されることを特徴とするインターネットを用いたリモートコントローラデータダウンロード方法。
【請求項６】
前記第５段階遂行結果、無線と判断する場合、前記第６段階乃至第７段階は、
クライアントＰＣ（３０）が第１インタフェース部（３５）を介してサーバ部（１０）にリモコンコード伝送システム（４０）で前記データを伝送するように要請する第６−１段階と、
リモコンコード伝送システム（４０）が、第３インタフェース部（４１）を介してサーバ部（１０）から伝送されたデータを受信する第６−２段階と、
前記伝送されたデータを一時記憶空間（４２）に記憶する第６−３段階と、
第４インタフェース部（４３）を介して、前記記憶されたデータをリモートコントローラ（５０’）の送受信部（５４）に無線伝送する第７−１段階とを含んでなることを特徴とする請求項５記載のインターネットを用いたリモートコントローラデータダウンロード方法。
【請求項７】
認証手続きである前記第２段階は、
データベースサーバ（１１）がクライアントＰＣ（３０）から認証情報を受信する第２−１段階と、
受信した前記情報を認証システム（１２）に伝送する第２−２段階と、
前記認証システム（１２）が、ユーザの認証情報を判断する第２−３段階と、
判断結果をさらに前記データベースサーバ（１１）に伝送する第２−４段階と、
前記データベースサーバ（１１）に伝送された前記結果に基づいて、ユーザを承認するか否かを判断する第２−５段階とをさらに含むことを特徴とする請求項５記載のインターネットを用いたリモートコントローラデータダウンロード方法。
【請求項８】
リモートコントローラ機能を与えた移動通信端末機を介したリモートコントローラデータダウンロード方法において、
ユーザの選択によりリモートコントローラ（５０’）が第１インタフェース部（３０）を介してダウンロードするリモートコントローラデータをサーバ部（１０）に要請する第１段階と、
前記サーバ部（１０）の認証手続きを経る第２段階と、
前記要請によって、前記サーバ部（１０）が、要請されたデータをリモコンコード伝送システム（４０）へ伝送する第３段階と、
前記リモコンコード伝送システムが、第３インタフェース部（４１）を介して伝送データを受信する第４段階と、
前記受信したデータを一時記憶する空間（４２）に一時記憶する第５段階と、
前記第４インタフェース部（４３）を介して、前記記憶されたデータをリモートコントローラ（５０’）の送受信部（５４）に無線伝送する第６段階と、
前記リモートコントローラ（５０’）が、送受信部（５４）を介して伝送されるデータを受信する第７段階と、
前記受信したデータを制御部（５２）を介して必要な方式に変換する第８段階と、
前記変換されたデータを記憶部（５３）に記憶する第９段階とを含んでなることを特徴とするインターネットを用いたリモートコントローラデータダウンロード方法。
【発明の詳細な説明】
【技術分野】
【０００１】
本発明は、一つのリモートコントローラでいずれの機器も利用できるように、インターネットを用いて、各機器に対応するリモートコントローラデータをリモートコントローラにダウンロードすることが可能なシステム及びその方法に関する。
【背景技術】
【０００２】
一般に、無線制御機器の一つであるリモートコントローラは、機器を使用する最終ユーザの便利性を高めるためのもので、家電機器や事務用機器などを比較的近い距離で無線制御することに多く用いられている。最近は、電子産業の発達と半導体製造技術の発展に伴い、より広範囲且つ様々な機能を有するリモートコントローラを提供するための研究開発が鋭意行われている。
【０００３】
ところが、従来の技術に係る機器遠隔制御装置及びその方法は、各機器を制御するためのリモートコントローラがそれぞれ備えられ、当該リモートコントローラのみによって当該機器の諸機能を制御するので、ある機器のリモートコントローラを紛失した場合又は故障が発生した場合には、当該機器に適用可能なリモートコントローラをさらに購入しなければならないか、或いはユーザが当該機器の本体に取り付けられたキーを一々操作して作動させなければならないという煩わしい問題点がある。
【０００４】
また、かかる問題点を解決するために、一つのリモートコントローラに多数の機器のデータをセットし、一つのリモートコントローラによって多数の機器を遠隔で制御できるようにした一名「統合リモートコントローラ」も存在する。
【０００５】
ところが、これもそのセッティング方法が複雑であって、一般ユーザにとってはあまり使用し易くないという問題点があった。
【発明の開示】
【発明が解決しようとする課題】
【０００６】
したがって、本発明は、従来の技術のかかる諸般問題点を解決するためのもので、その目的は、インターネットを介して各機器のリモートコントローラデータを備えたサーバに接続し、前記データの中でも必要なデータをリモートコントローラに有／無線でダウンロード及びセットできるようにしたインターネットを用いたリモートコントローラデータダウンロードシステム及びその方法を提供することにある。
【課題を解決するための手段】
【０００７】
上記目的を達成するための本発明は、リモートコントローラデータを含むサーバ部と、前記データを処理するクライアントＰＣ及びリモコンコード伝送システムと、前記機器を連結するインターネット網と、有／無線で連結されたリモートコントローラとを含んでなる、インターネットを用いたリモートコントローラデータダウンロードシステムにおいて、前記サーバ部は、リモートコントローラを用いる機器に対するそれぞれのリモートコントローラデータを有し、各種の要請に対する応答及びデータ伝送を担当するデータベースサーバと、前記データベースサーバに連結され、ユーザの認証情報を判断する認証システムと、前記データベースサーバに連結され、ユーザの課金情報をアップデートする課金精算システムとを備え、前記クライアントＰＣは、インターネット網を経由して前記サーバ部にリモートコントローラデータ伝送を要請し、伝送されるデータを受信する第１インタフェース部と、受信したリモートコントローラデータを一時記憶する一時記憶空間と、前記データの伝送方法を判断するデータ分析部と、前記データを有線で伝送するための第２インタフェース部とを備え、無線によるリモートコントローラへのデータ伝送に用いられる前記リモコンコード伝送システムは、前記第１インタフェース部を介して伝送されたデータを受信する第３インタフェース部と、前記データを一時記憶する一時記憶空間と、前記記憶されたデータを無線でリモートコントローラに伝送するための第４インタフェース部とを備え、前記リモートコントローラは、前記クライアントに有線で連結してデータの伝送を受けるための連結端子、又は前記リモコンコード伝送システムから無線でデータの伝送を受けるための送受信部と、前記伝送されたデータを必要な方式に変換する制御部と、前記制御部から伝送された変換データを記憶する記憶部とを備える。
【０００８】
上記目的を達成するための本発明は、インターネットを用いたリモートコントローラデータダウンロード方法において、ユーザの選択によりクライアントＰＣが第１インタフェース部を介してダウンロードするリモートコントローラデータをサーバ部に要請する第１段階と、前記サーバ部の認証手続きを経る第２段階と、前記要請によって前記サーバ部から伝送されたデータを前記第１インタフェース部を介して受信する第３段階と、前記受信したデータを一時記憶空間に一時記憶する第４段階と、前記記憶されたデータをデータ分析部で分析し、有線で伝送するか無線で伝送するかを判断する第５段階と、前記第５段階で有線と判断する場合、第２インタフェース部を介して、線で連結されたリモートコントローラの端子に前記データを伝送する第６段階と、前記リモートコントローラが端子を介して伝送されるデータを受信する第７段階と、前記受信したデータを制御部によって必要な方式に変換する第８段階と、前記変換されたデータを記憶部に記憶する第９段階とから構成される。
【発明の効果】
【０００９】
本発明によれば、既存の統合リモートコントローラの複雑なセッティング手続きを経ることなく、インターネットを介して所望のデータのみを選択するだけでリモートコントローラに自動的にダウンロードしてセットされるので、所望の機器に対するリモートコントロールでより容易且つ簡便に使用することができるという利点がある。
【発明を実施するための最良の形態】
【００１０】
以下、添付図面を参照して本発明の実施例をさらに詳細に説明する。
【００１１】
図１は本発明の一実施例に係るインターネットを用いたリモートコントローラデータダウンロードシステムの概略構成図、図２は本発明の一実施例に係るサーバ部の構成図、図３は本発明の一実施例に係るリモートコントローラデータ処理部の構成図、図４は本発明の一実施例に係るリモートコントローラの構成図である。
【００１２】
図１を参照すると、本発明の一実施例に係るリモートコントローラデータダウンロードシステムは、リモートコントローラデータを含み、認証や課金などの役割を行うサーバ部１０と、前記サーバ部１０とクライアントＰＣ３０とを連結するインターネット網２０と、リモートコントローラ５０に有線で連結されており、インターネット網２０を介して前記サーバ部１０と相互通信し、必要なリモートコントローラデータを選択してリモートコントローラにダウンロードするように操作することが可能なクライアントＰＣ３０と、ユーザ選択のリモートコントローラデータを前記サーバ部１０から受信して無線でリモートコントローラ５０’に伝送するリモコンコード伝送システム４０と、有線でクライアントＰＣ３０を介して、或いは無線でリモコンコード伝送システム４０を介してユーザ選択のリモートコントローラデータをダウンロードしてセットすることが可能なリモートコントローラ５０、５０’とから構成される。
【００１３】
ここで、無線でデータをダウンロードするリモートコントローラ５０’は、リモートコントローラの機能を有する移動通信端末機を含み、移動通信端末機は、一般的な携帯電話やＰＤＡなど移動通信機能を有する機器の総括的な概念である。
【００１４】
また、無線でデータをダウンロードする前記リモートコントローラ５０’は、クライアントＰＣ３０の機能を含むことができる。この場合には、ユーザがリモートコントローラ５０’を直接操作して無線インターネット網を介してサーバ部１０に接続し、所望のデータを選択した後、前記リモコンコード伝送システム４０を介してデータをダウンロードすることができる。
【００１５】
したがって、リモートコントローラのユーザが、前記クライアントＰＣ３０又はリモートコントローラ５０’を介して、サーバ部１０に記憶されたリモートコントローラデータの中から、作動させようとする機器に必要なデータを選択すると、前記データはクライアントＰＣ３０又はリモコンコード伝送システム４０を経由して有／無線でリモートコントローラ５０、５０’にダウンロードしてセットされるので、ユーザは作動させようとする機器に対するリモートコントローラとして使用することができる。
【００１６】
図２はサーバ部１０の構成図である。サーバ部１０は、データベースサーバ１１、認証システム１２及び課金精算システム１３から構成される。
【００１７】
図２を参照すると、データベースサーバ１１は、ＴＶ、ビデオ、オーディオ、エアコンなどリモートコントローラを用いる機器に対するそれぞれのリモートコントローラデータを持っており、クライアントＰＣ３０又は無線リモートコントローラ５０’を介して伝送される各種の要請に対する応答及びデータ伝送を担当する。
【００１８】
認証システム１２は、前記データベースサーバ１１に連結され、承認されたユーザのみがデータをダウンロードできるように認証情報を判断し、その結果を前記データベースサーバ１１に伝送する。
【００１９】
課金精算システム１３は、前記データベースサーバ１１から課金情報を伝送されて各ユーザの課金情報をアップデートする役割を果たす。
【００２０】
本発明の実施例によって、認証システム１２及び課金精算システム１３は使用されないこともある。
【００２１】
図３はデータのダウンロード過程で必要となる、クライアントＰＣ３０及びリモコンコード伝送システム４０に含まれるリモートコントローラデータ処理部の構成図である。図３を参照すると、前記リモートコントローラデータ処理部は、ユーザの操作によってインターネット網２０を介してサーバ１０に所望のデータのダウンロード選択要請及びユーザ情報などを送信し、前記データ送信によって前記サーバ部１０から伝送されるデータを受信する第１インタフェース部３１と、前記データを一時記憶する一時記憶空間３２と、前記一時記憶空間３２に記憶されたデータを分析し、有線で連結されたリモートコントローラ５０に伝送するか無線でリモートコントローラ５０’に伝送するかを判断するデータ分析部３３と、前記データ分析部３３で、有線で連結されたリモートコントローラ５０に伝送すると判断する場合には、前記データを有線で伝送するための第２インタフェース部３４とを含んでなり、前記データ分析部３３で、無線でリモートコントローラ５０’に伝送すると判断する場合には、前記第１インタフェース部３１を介してサーバ部１０にリモコンコード伝送システム４０でリモートコントローラデータを伝送するように要請し、リモコンコード伝送システム４０に含まれて前記サーバ部１０からのデータを受信する第３インタフェース部４１と、前記データを一時記憶する一時記憶空間４２と、記憶されたデータを無線でリモートコントローラ５０’に伝送するための第４インタフェース部４３とを含んでなる。
【００２２】
また、本発明の他の一実施例において、リモートコントローラ５０’は、第１インタフェース部３１及び一時記憶空間３２を含むことができ、この場合には、前記リモコンコード伝送システム４０の第４インタフェース部４３と前記第１インタフェース部３１間の通信によって選択したリモートコントローラデータを受信することができる。
【００２３】
ここで、前記第１インタフェース部３１はインターネット上で日常的に用いるＷＥＢブラウザー又は移動通信端末機で用いるＷＡＰブラウザを含み、前記リモートコントローラ５０と前記クライアントＰＣ３０とを連結する線はＵＳＢ(Universal Serial Bus)を含む。
【００２４】
図４ａ及び図４ｂは前記リモートコントローラデータダウンロードシステムによって使用することが可能なリモートコントローラの構成図である。図４ａを参照すると、本発明の一実施例に係る有線リモートコントローラ５０は、既存のリモートコントローラが有する、ユーザの選択による制御選択信号を入力するキー入力部と、前記キー入力部を介したユーザの制御選択信号を受けて所定の赤外線コードを発生させる赤外線コード発生手段を含み、システム全体を制御するＣＰＵと、前記ＣＰＵの赤外線コードを受けて当該コードの赤外線信号を外部へ出力する赤外線信号発生部に追加してクライアントＰＣ３０と線を連結することが可能な端子５１と、端子を介して伝達されるデータを判断し、必要な方式に変換する制御部５２と、前記制御部５２に連結され、変換されたデータを記憶するための記憶部５３とをさらに含む。
【００２５】
また、図４ｂを参照すると、本発明の他の一実施例に係る無線リモートコントローラ５０’は、既存のリモートコントローラが有する、ユーザの選択による制御選択信号を入力するキー入力部と、前記キー入力部を介したユーザの制御選択信号を受けて所定の赤外線コードを発生させる赤外線コード発生手段を含み、システム全体を制御するＣＰＵと、前記ＣＰＵの赤外線コードを受けて当該コードの赤外線信号を外部へ出力する赤外線信号発生部に追加してサーバ部１０及びリモコンコード伝送システム４０と必要なデータを無線で送受信することが可能な送受信部５４と、受信したリモートコントローラデータを必要な方式に変換する制御部５２と、変換されたデータを記憶するための記憶部５３とをさらに含む。前記リモートコントローラ５０’がリモートコントローラ機能付き移動通信端末機の場合には、既存の移動通信端末機モジュールが内部に追加できる。
【００２６】
したがって、リモートコントローラのユーザは、前述したシステムを用いて、自分に必要なリモートコントローラデータを簡単にダウンロードして使用することができるが、リモートコントローラに有線でダウンロードするか無線でダウンロードするかによってリモートコントローラデータダウンロード方法が分けられ、それぞれの場合による手続き進行が図５ａ及び図５ｂに示されている。
【００２７】
図５ａは、有線でクライアントＰＣ３０に連結したリモートコントローラ５０に、選択したデータをダウンロードするための処理手続図である。次に、図５ａを参照してその手続きを説明する。
【００２８】
クライアントＰＣ３０は、第１インタフェース部３１を介してサーバ部１０に接続した後、ユーザによって選択されたリモートコントローラデータを要請し（Ｓ５１０）、前記サーバ部１０の認証手続きを経た後（Ｓ５２０）、要請に応じて伝送されたデータを前記第１インタフェース部３１を介して受信し（Ｓ５３０）、一時記憶空間３２に一時記憶する（Ｓ５４０）。その後、前記一時記憶空間３２に記憶されたデータをデータ分析部３３で分析し、有線で連結されたリモートコントローラ５０に伝送するか無線でリモートコントローラ５０‘に伝送するかを判断する（Ｓ５５０）。無線でリモートコントローラ５０’に伝送する場合には図５ｂで詳細に説明する。有線で連結されたリモートコントローラ５０に伝送する場合には、前記リモートコントローラ５０と線で連結された第２インタフェース部３４を介してデータを伝送する（Ｓ５６０）。リモートコントローラ５０が、端子５１を介して伝送されるデータを受信した後（Ｓ５７０）、前記データを制御部５２で判断し、必要な方式に変換する（Ｓ５８０）。そして、変換されたデータを記憶部５３に記憶する（Ｓ５９０）。
【００２９】
図５ｂは段階Ｓ５５０でリモートコントローラ５０’に無線で伝送する場合を示す処理手続図である。図５ｂを参照すると、次の通りである。無線でリモートコントローラ５０’に伝送する場合、第１インタフェース３１を介してサーバ部１０にリモコンコード伝送システム４０でリモートコントローラデータを伝送するように要請する（Ｓ５５１）。リモコンコード伝送システム４０は、第３インタフェース部４１を介して伝送されたデータを受信した後（Ｓ５５２）、一時記憶空間４２に一時記憶する（Ｓ５５３）。その後、第４インタフェース部４３を介して、前記一時記憶空間４２に記憶されたデータをリモートコントローラ５０’に無線伝送する（Ｓ５５４）。以後の手続きは段階５７０〜Ｓ５９０と一致する。
【００３０】
図５ｃは前記サーバ部１０の認証手続きＳ５２０をより詳細に示した処理手続図である。図５ｃを参照すると、サーバ部１０のデータベースサーバ１１は、クライアントＰＣ３０から認証情報を受信し（Ｓ５２１）、認証システム１２へ伝送する（Ｓ５２２）。前記認証システム１２は、認証情報を判断し（Ｓ５２３）、その結果をさらに前記データベースサーバ１１に伝送する（Ｓ５２４）。前記データベースサーバ１１は、伝送された前記結果に基づいて、ユーザを承認するか否かを判断し（Ｓ５２５）、承認される場合にのみ手続きを引き続き行うようにする。
【００３１】
図６は本発明の他の一実施例によって、リモートコントローラ機能を有する移動通信端末機を用いて直接リモートコントローラデータをダウンロードする場合を示す手続き図である。図６を参照してその手続きを説明すると、次の通りである。
【００３２】
リモートコントローラ５０’は、第１インタフェース部３１を介してサーバ部１０に接続した後、ユーザによって選択されたリモートコントローラデータを要請し（Ｓ６１０）、前記サーバ部１０は、認証手続きを済ませた後（Ｓ６２０）、リモコンコード伝送システム４０でリモートコントローラデータを伝送する（Ｓ６３０）。前記リモコンコード伝送システム４０は、第３インタフェース部４１を介して伝送されたデータを受信した後（Ｓ６４０）、一時記憶空間４２に一時記憶する（Ｓ６５０）。その後、第４インタフェース部４３を介して、前記一時記憶空間４２に記憶されたデータをリモートコントローラ５０’に無線伝送する（Ｓ６６０）。前記リモートコントローラ５０’は、第１インタフェース部３１を介して伝送されるデータを受信した後（Ｓ６７０）、前記データを制御部５２で判断し、必要な方式に変換する（Ｓ６８０）。そして、変換されたデータを記憶部５３に記憶する（Ｓ６９０）。
【００３３】
ここで、データを無線でダウンロードしたリモートコントローラ５０’は、一般リモートコントローラ５０と線で連結してデータを伝送することもできる。
【００３４】
前記のような手続きによって、ユーザは所望のリモートコントローラデータを容易にリモートコントローラにダウンロード及びセットすることができる。
【図面の簡単な説明】
【００３５】
【図１】本発明の一実施例に係るインターネットを用いたリモートコントローラデータダウンロードシステムの概略構成図である。
【図２】本発明の一実施例に係るサーバ部の構成図である。
【図３】本発明の一実施例に係るリモートコントローラデータ処理部の構成図である。
【図４ａ】本発明の一実施例に係るリモートコントローラの構成図である。
【図４ｂ】本発明の他の一実施例に係るリモートコントローラの構成図である。
【図５ａ】クライアントＰＣを介してリモートコントローラに必要なデータをダウンロードするための処理手続図である。
【図５ｂ】クライアントＰＣを介してリモートコントローラに必要なデータをダウンロードするための処理手続図である。
【図５ｃ】クライアントＰＣを介してリモートコントローラに必要なデータをダウンロードするための処理手続図である。
【図６】リモートコントローラに直接必要なデータをダウンロードするための処理手続図である。
【符号の説明】
【００３６】
１０    サーバ部
１１    データベースサーバ
１２    認証システム
１３    課金精算システム
２０    インターネット網
３０    クライアントＰＣ
３１    第１インタフェース部
３２    一時記憶空間
３３    データ分析部
３４    第２インタフェース部
４０    リモコンコード伝送システム
４１    第３インタフェース部
４２    一時記憶空間
４３    第４インタフェース部
５０、５０’    リモートコントローラ
５１    端子
５２    制御部
５３    記憶部
５４    送受信部
【図１】
2005515674.tif 000003
【図２】
2005515674.tif 000004
【図３】
2005515674.tif 000005
【図４ａ】
2005515674.tif 000006
【図４ｂ】
2005515674.tif 000007
【図５ａ】
2005515674.tif 000008
【図５ｂ】
2005515674.tif 000009
【図５ｃ】
2005515674.tif 000010
【図６】
2005515674.tif 000011
【国際調査報告】
2005515674.tif 000012